(57)【要約】【課題】ＬＥＤの光線が均一にＬＣＤの上に散射されることを確保できるＬＣＤバックライト・モジュールの構造を提供すること。【解決手段】少なくとも一個のＬＥＤを含み、前記ＬＥＤは、ガイドロッドの上に設置され、前記ガイドロッドの表面には駆動回路に接続するための導電片が設置され、且つ前記ガイドロッドにはブラインド・ホールが設置され、前記ＬＥＤの発光ポイントをこのブラインド・ホールの中にダイ・ボンディングすると共に、前記発光ポイントの導線を両側の導電片まで延伸し、最後に、ダイ・ボンディング及びワイヤ・ボンディングが完了したブラインド・ホール周囲にエポキシ樹脂を注いで導光レンズを弧状に形成する。【選択図】図１
0003125334.tif 000002
【実用新案登録請求の範囲】
【請求項１】
ＬＣＤバックライト・モジュールの構造であって、
前記バックライト・モジュールは、ＬＥＤを光源として採用し、
ＬＥＤ光線をＬＣＤの各所に均一に散射できるように、前記ＬＥＤの表面に弧度のある導光レンズを設置したことを特徴とする、
ＬＣＤバックライト・モジュールの構造。
【請求項２】
前記ＬＥＤは、一個以上設置したことを特徴とする、請求項１に記載のＬＣＤバックライト・モジュールの構造。
【請求項３】
前記ＬＥＤは、ガイドロッドの上に設置され、前記ガイドロッドの表面には駆動回路を接続するための導電片が設置され、且つ前記ガイドロッドにはブラインド・ホールが設置され、前記ブラインド・ホールの中に前述ＬＥＤの発光ポイントを固設すると共に、前記発光ポイントの導線を両側の導電片まで延伸し、前記導光レンズはブラインド・ホールの上に被せてあることを特徴とする、請求項１に記載のＬＣＤバックライト・モジュールの構造。
【請求項４】
前記導光レンズは、高透過率のレンズであることを特徴とする、請求項１に記載のＬＣＤバックライト・モジュールの構造。
【考案の詳細な説明】
【技術分野】
【０００１】
本考案は、ＬＣＤバックライト・モジュールの構造に関し、特に、弧度を有するＬＥＤを光源として採用することによって、光線を均一にＬＣＤの上に散射し、ＬＣＤが一層気持ちよく見れるようにしたＬＣＤバックライト・モジュールの構造に関するものである。
【背景技術】
【０００２】
現在のＬＣＤバックライト照明装置は、主として白光ＣＣＦＬ（冷陰極管）を主体とし、ＣＣＦＬをＬＣＤの背後に設置して発光させ、ＬＣＤの上に投射することによって、ＬＣＤ上の画面を現すようにしている。
【０００３】
ところが、ＬＣＤの寸法が益々大きくなるにつれ、ＣＣＦＬ及び其の駆動回路も又増えてくる。
大サイズＬＣＤのバックライト照明機能を達成するには、数多くのＣＣＦＬを直列・並列しなければならない、しかし、ＬＣＤの寸法範囲内で、仮にＣＣＦＬを最大多数直列・並列したとしても、その輝度はやはり不足する、特に大サイズＬＣＤにおいてこの傾向は一層明らかである。
【０００４】
しかも、ＣＣＦＬの寿命は比較的短く、付帯的にＬＣＤの寿命にも影響する、其の上、電力消耗も比較的大きく、又、ＣＣＦＬには有害物質が含有され、環境保護にとって有害である。
従って、その他のバックライト光源を採用することは、ＬＣＤ発展の必然的趨勢である。
【０００５】
現在、比較的成熟した技術としては、高輝度白光ＬＥＤを利用してバックライトの光源とすることで、ＬＥＤを小サイズのＬＣＤスクリーンに応用することは既にある期間行われている。
例えば、携帯電話、ＰＤＡなど、近年は、更に技術の向上で、ＬＥＤの明るさが大幅に向上し、加えて重量が軽く、堅固で、且つ寿命が比較的長いので、大サイズＬＣＤの選択対象となっている。
【０００６】
一般に、ＬＥＤをＬＣＤバックライトの光源として設置する方法は、ＬＣＤの片側又は両側に数量不等のＬＥＤを装着し、電源を入れると、ＬＥＤ光源がＬＣＤの上に投射され、ＬＣＤ上の映像が現れるようになっている。
但し、一般のＬＥＤ光線は均一的に散射されず、小さい範囲内に集中し、ＬＥＤ光線に投射されたＬＣＤのある区域が特別明るく、其の明るい区域の周囲では明らかに明るさの減衰が見られる。
【０００７】
前述の欠点に対して、ＬＥＤを密集的に配置する方式で、任意のＬＥＤ二個の明るさ範囲を隣り合わせ、暗い区域を減らすことも出来るが、これでは、コストがアップし、電力消費が増え、明るさを増加する実質効果もないばかりでなく、ＬＣＤ上の光線不均衡の問題は依然存在するので、よい解決策とはいえない。
【０００８】
以上に鑑み、本考案者は、解決方法を勘案した結果、ＬＥＤ自体の光線分布方式を変えることによってのみ、従来の問題を解決できることに気づき、長期的に研究開発及び実作業を行った末、ついに本案ＬＣＤバックライト・モジュールの構造を完成した。
【考案の開示】
【考案が解決しようとする課題】
【０００９】
本考案の主要な目的は、弧度を有するＬＥＤを発光源として採用し、ＬＥＤの光線が均一にＬＣＤの上に散射されることを確保できるＬＣＤバックライト・モジュールの構造を提供することにある。
【００１０】
本考案のもう一つ別の目的は、高輝度白光ＬＥＤを光源とすることによって、前記ＬＣＤに高い輝度・良好な画質、且つ長い使用寿命などの長所を持ったＬＣＤバックライト・モジュールの構造を提供することにある。
【課題を解決するための手段】
【００１１】
上述考案の目的を達成できるＬＣＤバックライト・モジュールの構造は、主として、一個又は一個以上のＬＥＤを含み、前記ＬＥＤはガイドロッドの上に設置され、前記ガイドロッド表面には駆動回路を接続するための導電片を設置し、且つ前記ガイドロッドにブラインド・ホールを設け、前記ＬＥＤの発光ポイントをブラインド・ホールの中にダイ・ボンディングすると共に、前記発光ポイントの導線が両側の導電片へ延伸し、最後にダイ・ボンディング及びワイヤ・ボンディングを完了したブラインド・ホールの周囲にエポキシ樹脂を注いで導光レンズを形成し、前記導光レンズの造型に弧度を持たせることによって、前記ＬＥＤの光線が均一に散射することを確保する。使用に際しては、前記発光ポイントの光線がブラインド・ホールによって集中され、且つ弧度を持つ導光レンズによってＬＣＤの上に発射され、各ＬＥＤがＬＣＤの上で均一な明るさを持つ発光面を形成し、ＬＣＤを一層気持ちよく見れるようにする。
【００１２】
すなわち、本願の第１考案は、ＬＣＤバックライト・モジュールの構造であって、前記バックライト・モジュールは、ＬＥＤを光源として採用し、ＬＥＤ光線をＬＣＤの各所に均一に散射できるように、前記ＬＥＤの表面に弧度のある導光レンズを設置したことを特徴とする、ＬＣＤバックライト・モジュールの構造を提供する。
本願の第２考案は、前記ＬＥＤは、一個以上設置したことを特徴とする、前記第１考案に記載のＬＣＤバックライト・モジュールの構造を提供する。
本願の第３考案は、前記ＬＥＤは、ガイドロッドの上に設置され、前記ガイドロッドの表面には駆動回路を接続するための導電片が設置され、且つ前記ガイドロッドにはブラインド・ホールが設置され、前記ブラインド・ホールの中に前述ＬＥＤの発光ポイントを固設すると共に、前記発光ポイントの導線を両側の導電片まで延伸し、前記導光レンズはブラインド・ホールの上に被せてあることを特徴とする、前記第１考案に記載のＬＣＤバックライト・モジュールの構造を提供する。
本願の第４考案は、前記導光レンズは、高透過率のレンズであることを特徴とする、前記第１考案に記載のＬＣＤバックライト・モジュールの構造を提供する。
【考案の効果】
【００１３】
本考案は、ＬＥＤを発光源として採用し、前記ＬＥＤは弧度を有し、ＬＥＤの光線が均一にＬＣＤの上に散射されることを確保でき、且つ前記ＬＥＤは高輝度白光ＬＥＤであるため、前記ＬＣＤに高度の明るさと、良好な画質と、長い使用寿命と、を有する長所を持たせることが出来る。
【考案を実施するための最良の形態】
【００１４】
図１乃至図４は、本考案に係るＬＣＤバックライト・モジュールの構造である。
【００１５】
前記バックライト・モジュールには、ガイドロッド２を含む。前記ガイドロッド２の上には複数個のＬＥＤ１を設置し、各ＬＥＤ１から光線をＬＣＤ（図示せず）の上に投射し、且つ各ＬＥＤ１の光線が部分的にかさなることによって、光線が完全にＬＣＤの上に分布することを確保する。
【００１６】
前述ガイドロッド２の表面に、駆動回路（図示せず）を接続するための導電片２１を設置して、ＬＥＤ１を発光させて制御を行う。
前記ガイドロッド２の上にブラインド・ホール２２を設け、前記ＬＥＤ１の発光ポイント１１をブラインド・ホール２２の中にダイ・ボンディングし、且つ前記発光ポイント１１の導線１２を両側の導電片２１まで延伸し、最後にダイ・ボンディング及びワイヤ・ボンディングを完了したブラインド・ホール２２の周囲にエポキシ樹脂を注いで導光レンズ１３を形成する。
【００１７】
これによって、前記発光ポイント１１の光線がブラインド・ホール２２によって集中され、且つ導光レンズ１３からＬＣＤの上に発射される。
【００１８】
前述導光レンズ１３は一般のＬＥＤ設置とは異なり、弧度を持つ造型をなし、この弧度によって前記ＬＥＤ１の光線が均一に散射し、一点に集中しないことを確保することが出来る。
【００１９】
従って、各ＬＥＤ１がＬＣＤの上で均一な明るさの発光面を形成し、ＬＣＤを一層気持ちよく見れるようにする。
【００２０】
尚、前記導光レンズ１３は、高透過率のレンズであり、前述のエポキシ樹脂のほかに、ガラスなど透過率の良い材質を使用しても良い。
【図面の簡単な説明】
【００２１】
【図１】本考案に係る単独ＬＥＤ構造の斜視図である。
【図２】本考案に係るガイドロッド及びＬＥＤ構造の斜視図である。
【図３】本考案に係るガイドロッド及びＬＥＤ構造の平面図である。
【図４】本考案に係るガイドロッド及びＬＥＤ構造の正面図である。
【符号の説明】
【００２２】
１・・・・・・ＬＥＤ
１１・・・・・発光ポイント
１２・・・・・導線
１３・・・・・導光レンズ
２・・・・・・ガイドロッド
２１・・・・・導電片
２２・・・・・ブラインド・ホール
【図１】
0003125334.tif 000003
【図２】
0003125334.tif 000004
【図３】
0003125334.tif 000005
【図４】
0003125334.tif 000006